(57)【特許請求の範囲】
【請求項１】
長手方向に延在する側板および前記側板に設けられた複数の挿入口を有する中空の柱体と、
一の前記挿入口と他の前記挿入口とに架け渡され前記柱体に対し挿脱可能に配置される複数のステップ部材と、を備え、
前記柱体は、前記長手方向において並ぶ第一柱部と第二柱部とを有するとともに、前記第一柱部と前記第二柱部とを互いに固定して前記第一柱部に対する前記第二柱部の横倒しを規制する固定手段を当該柱体の内側に有しており、
前記固定手段により固定された前記第一柱部と前記第二柱部とにより長尺の前記柱体をなし、前記固定手段を解除することによって、前記長尺の柱体に対し相対的に短尺化可能であることを特徴とする動物用遊戯装置。
【請求項２】
前記柱体の外側と内側とを連通させ前記固定手段を操作する者の手腕を挿入可能な窓部が前記側板に設けられている請求項１に記載の動物用遊戯装置。
【請求項３】
前記窓部の前記固定手段寄りである上端縁または下端縁から前記固定手段までの距離が５０ｃｍ以内である請求項２に記載の動物用遊戯装置。
【請求項４】
前記固定手段による前記第一柱部と前記第二柱部との固定および当該固定の解除が、繰り返し可能である請求項１から３のいずれか一項に記載の動物用遊戯装置。
【請求項５】
前記第一柱部および前記第二柱部のそれぞれに複数の前記挿入口が設けられている請求項１から４のいずれか一項に記載の動物用遊戯装置。
【請求項６】
前記第一柱部および前記第二柱部は、横断面外縁形状が略同一であり、
前記第一柱部の上に前記第二柱部を載置可能である請求項１から５のいずれか一項に記載の動物用遊戯装置。
【請求項７】
前記第一柱部は筒状体であるとともに、少なくとも前記筒状体の軸方向の一方の端部に前記軸方向と交差する方向に所定面積を有して延在する天板部を有し、
前記第二柱部は筒状体であるとともに、少なくとも前記筒状体の軸方向の一方の端部に前記軸方向と交差する方向に所定面積を有して延在する床板部を有し、
前記天板部に前記床板部を載置して前記第一柱部の上に前記第二柱部を載置可能である請求項１から６のいずれか一項に記載の動物用遊戯装置。
【請求項８】
前記固定手段は、前記天板部と前記床板部とを、互いに相対的に移動することおよび回転することを禁止するよう連結し、およびその連結を解除するための操作部を有する請求項７に記載の動物用遊戯装置。
【請求項９】
前記柱体の外側と内側とを連通させ前記固定手段を操作する者の手腕を挿入可能な窓部が前記側板に設けられており、
前記操作部が、互いに当接する前記天板部または前記床板部の露出するいずれか一方の面内であって、前記窓部側に対向する前記面内に設けられている請求項８に記載の動物用遊戯装置。
【請求項１０】
前記第一柱部の横断面内縁形状が、前記第二柱部の横断面外縁形状を包含可能である請求項１から５のいずれか一項に記載の動物用遊戯装置。
【請求項１１】
前記ステップ部材は、前記一の挿入口と前記他の挿入口とに架け渡された状態で、前記柱体の外側に露出し動物を乗せることが可能なステップ部を有している請求項１から１０のいずれか一項に記載の動物用遊戯装置。
【請求項１２】
前記ステップ部が、前記柱体の外側面に沿って外周方向の３分の１以上に亘り延在している請求項１１に記載の動物用遊戯装置。
【請求項１３】
前記柱体が角柱体であり、前記ステップ部が前記角柱体の外側面の隣り合う２面以上に沿って延在している請求項１１または１２に記載の動物用遊戯装置。
【請求項１４】
前記ステップ部材は、前記ステップ部から起立する壁部を有している請求項１１から１３のいずれか一項に記載の動物用遊戯装置。
【請求項１５】
前記壁部は、前記ステップ部材が前記一の挿入口と前記他の挿入口とに架け渡された状態で、
前記柱体の外側面と対向する第一壁部と、当該外側面と前記第一壁部との間に延在する第二壁部とを有する請求項１４に記載の動物用遊戯装置。
【発明の詳細な説明】
【技術分野】
【０００１】
本発明は、動物用遊戯装置に関する。
【背景技術】
【０００２】
近年、猫などのペットが室内において飼育されるケースが急増している。現在、ペット用として好まれる種々の動物は、ペット用として人間の生活環境に馴染み易い品種が改良され、あるいは躾などによって適応させてはいるが、野生動物本来の本能的な欲求が全く喪失するわけではない。例えば猫は、本来、木などの高いものに上り下りするという運動を本能的に好んで行う傾向にある。そのため、屋内で飼育されるペットの遊戯（運動）を可能とするための装置が提案されている。
【０００３】
例えば特許文献１には、床面と天井面とで挟み込んで支えられる１本の支柱と、上記支柱に挿入するための挿入孔を有し固定部材などにより支柱に固定される複数の止まり台とを供える猫の遊戯装置（以下、「従来技術１」ともいう）が開示されている。しかしながら従来技術１のように、止まり台を固定部材で支柱に固定するタイプの遊戯装置では、ペットが当該止まり台に何度も乗り降りすることによって固定部材が緩んでしまい、止まり台が不安定となり、さらにはペットが乗ったときに下方に落下する虞があった。
【０００４】
これに対し本発明者らは、屋内の限られた空間を有効に利用し、かつ安全に動物が遊戯（運動）することが可能な遊戯装置として、下記特許文献２に示すペット用遊戯装置（以下、従来技術２ともいう）を提案している。
【０００５】
従来技術２は、側板に複数の挿入口が形成されている中空の柱体と、１つの挿入口から他の挿入口に架け渡される複数のステップ部材と、を備える。ステップ部材は、長尺の柱体の長手方向に複数配置可能であり、各ステップ部材には、柱体の外部に位置し動物が乗るためのステップ部が設けられている。２つの挿入口に架け渡されたステップ部材は、２つの挿入口のそれぞれの周面で支持されるため安定感があり、ステップ部に動物が乗っても下方に落下し難い。
【先行技術文献】
【特許文献】
【０００６】
【特許文献１】実開平３−３７８５９号
【特許文献２】実用新案登録第３１３２８９７号
【発明の概要】
【発明が解決しようとする課題】
【０００７】
従来技術２は、上述のとおり中空かつ長尺の柱体を有しており、柱体の壁面に設けられた２か所の挿入口にステップ部材を架け渡すため、従来技術１の支柱に比べ有意に断面太幅に構成されている。そのため、ステップ部材の安定感が担保されているものの、運搬や収納の際の取り扱い性には改善の余地があった。たとえば従来技術２において、動物が充分に柱体の長手方向における移動を楽しめるように柱体の高さを１ｍ以上に設計した場合、運搬し、また収納する際の取り扱い性が容易ではない場合があった。
【０００８】
本発明は上述のような課題に鑑みてなされたものであり、動物の安全性を担保しつつ運搬および収納の際の取り扱い性が改善された動物用遊戯装置を提供するものである。
【課題を解決するための手段】
【０００９】
本発明は、長手方向に延在する側板および上記側板に設けられた複数の挿入口を有する中空の柱体と、一の上記挿入口と他の上記挿入口とに架け渡され上記柱体に対し挿脱可能に配置される複数のステップ部材と、を備え、上記柱体は、上記長手方向において並ぶ第一柱部と第二柱部とを有するとともに、上記第一柱部と上記第二柱部とを互いに固定して上記第一柱部に対する上記第二柱部の横倒しを規制する固定手段を当該柱体の内側に有しており、上記固定手段により固定された上記第一柱部と上記第二柱部とにより長尺の上記柱体をなし、上記固定手段を解除することによって、上記長尺の柱体に対し相対的に短尺化可能であることを特徴とする。
【発明の効果】
【００１０】
本発明の動物用遊戯装置は、長尺かつ従来技術１のような支柱を利用した遊戯装置に比べて断面太幅であって、適宜、短尺化可能な柱体を備える。そのため、使用の際には、上記柱体に配置されたステップ部材を２つの挿入口で支持して動物の安全性を担保し、運搬や収納の際には、柱体を短尺化することにより取り扱性を改善することができる。
【図面の簡単な説明】
【００１１】
【図１】本発明の第一実施形態の動物用遊戯装置の斜視図である。
【図２】本発明の第一実施形態の動物用遊戯装置の縦断面図である。
【図３】（ａ）は図２に示す動物用遊戯装置のＩ−Ｉ線断面図であり、（ｂ）は図２に示す動物用遊戯装置のＩＩ−ＩＩ線断面図である。
【図４】本発明の第一実施形態の動物用遊戯装置の分解図である。
【図５】（ａ）から（ｃ）は、ステップ部材の異なる実施態様を示す上面図である。
【図６】（ａ）は壁部を備えるステップ部材の一実施態様を示す斜視図であり、（ｂ）は（ａ）に示すステップ部材の上面図である。
【図７】本発明の第二実施態様の動物用遊戯装置の斜視図である。
【発明を実施するための形態】
【００１２】
本発明は、装置の長手方向において動物の移動を可能とする長尺の柱体と、上記柱体に対し挿脱可能に配置される複数のステップ部材を有する動物用遊戯装置に関し、長尺の柱体を適宜短尺化可能に構成することにより、運搬および収納の際の取り扱性の改善を図ることを趣旨とする。
本発明者らは、従来の課題を鑑み、柱体を長手方向に第一柱部と第二柱部とに分割し、適宜短縮化可能にするとともに、第一柱部材と第二柱部材を固定手段で固定することによって長尺の柱体を構成することを検討した。固定手段は種々考えられるものの、当該固定手段が柱体の外部に設けられると、動物に思わぬ怪我をさせ、また装置の外観を損なうなどの問題があるため、鋭意検討により、柱体の内部に固定手段を設けるという着想に到達したものである。
尚、本発明において第一柱部と第二柱部とは、長尺の柱体を長手方向に分割するという技術思想を表すものであって、柱体を構成する柱部は、２以上であればよく、また２以上の柱部の任意の箇所に、他の構成をさらに備えることを除外するものではない。
【００１３】
以下、本発明の実施形態について、図面を用いて説明する。すべての図面において、同様の構成要素には同一の符号を付し、重複する説明は適宜に省略する。尚、本発明の各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００１４】
尚、特段の断りのない場合には、本明細書において縦断面とは、中空の柱体の軸心に沿って切断した断面を意味し、横断面とは、上記軸心に対し垂直方向に切断した断面を意味する。
以下の説明では、本発明の対象とする動物として猫を選択して説明するが、これは本発明の対象とする動物を猫に限定するものではない。本発明の遊戯装置は、例えば、猿などの他の動物の遊戯装置としても用いることができる。
【００１５】
［第一実施形態］
以下に本発明の第一実施形態について説明する。
図１は、本発明の第一実施形態の動物用遊戯装置１００の斜視図である。図２は、動物用遊戯装置１００の縦断面図である。図１において、上から３段目のステップ部材３０に猫３００が乗っている状態を示している。他の図では猫３００は図示省略する。図２では、ステップ部材３０を１つだけ図示し、他のステップ部材３０は図示省略している。図３（ａ）は、図２に示す動物用遊戯装置１００のＩ−Ｉ線断面図であり、図３（ｂ）は図２に示す動物用遊戯装置１００のＩＩ−ＩＩ線断面図である。図４は、動物用遊戯装置１００の分解図である。即ち、図４は、固定手段（連結具１１０）を解除し、かつステップ部材３０を柱体１０から離脱させた状態を示す。図５（ａ）から（ｃ）は、ステップ部材３０の異なる実施態様を示す上面図である。図６（ａ）は壁部１４０を備えるステップ部材３０の一実施態様を示す斜視図であり、図６（ｂ）は図６（ａ）に示すステップ部材３０の上面図である。
【００１６】
はじめに、本実施形態の動物用遊戯装置１００（以下、単に遊戯装置１００ともいう）の概要について説明する。
図１、２に示すとおり、遊戯装置１００は、長手方向に延在する側板１２０および側板１２０に設けられた複数の挿入口２０を有する中空の柱体１０と、一の挿入口２０と他の挿入口２０とに架け渡され柱体１０に対し挿脱可能に配置される複数のステップ部材３０と、を備える。柱体１０は、長手方向において並ぶ第一柱部１０Ａと第二柱部１０Ｂとを有するとともに、第一柱部１０Ａと第二柱部１０Ｂとを互いに固定して第一柱部１０Ａに対する第二柱部１０Ｂの横倒しを規制する固定手段（たとえば図２、３に示す連結具１１０を参照）を柱体１０の内側に有している。
遊戯装置１００は、固定手段（連結具１１０）により固定された第一柱部１０Ａと第二柱部１０Ｂとにより長尺の柱体１０（図１参照）をなす。また遊戯装置１００は、固定手段（連結具１１０）を解除することによって、長尺の柱体１０に対し相対的に短尺化可能（図４参照）である。
【００１７】
遊戯装置１００は、長尺かつ従来技術１などの支柱と比べて断面太幅の柱体１０に設けられた２つの挿入口２０にステップ部材３０を掛け渡す構成が採用されており、ステップ部材３０の安定性がよく猫３００の安全性に配慮がなされている。遊戯装置１００に対し、複数のステップ部材３０を挿脱可能に設置することができるので、適宜、ステップ部材３０の配置を替ることで、猫３００を飽きさせずに遊ばせることができる。
また、上述の構成を有する遊戯装置１００は、運搬や収納の際には、適宜、固定手段（連結具１１０）を解除して短縮化することでき、取り扱性が良い。また遊戯装置１００を動物に対し使用する際には、固定手段（連結具１１０）により第一柱部１０Ａと第二柱部１０Ｂとを互いに固定し、当該動物が側板１２０の延在する長手方向において移動を楽しめるよう長尺な柱体１０をなすことができる。固定手段（連結具１１０）は、柱体１０内部に設けられているため、固定手段で動物に怪我等をさせる虞がなく、また遊戯装置１００の外観が損なわれることがない。
即ち、遊戯装置１００は、猫３００の安全性および遊戯性を担保しつつ運搬および収納の際の取り扱い性が改善されている。
【００１８】
次に、本実施形態について詳細に説明する。本実施形態では、遊戯装置１００を床などの設置面に対し設置する例を示す。本実施形態における側板１２０の延在方向および柱体１０の長手方向は、上記設置面に対する鉛直方向である。本実施形態の以下の説明では、上記鉛直方向を上下方向として、説明する場合がある。ただし、本発明は柱体が設置面に対し、鉛直方向以外の方向に延在する態様を除外するものではなく、たとえば柱体１０が当該鉛直方向に対し交差する方向に延在する態様（即ち、柱体の長手方向が設置面に対し斜め傾斜する態様）を含む。
本実施形態の動物用遊戯装置１００は、長尺かつ断面太幅の柱体１０に対し、複数のステップ部材３０を挿脱可能に配置し、それら複数のステップ部材３０を亘って猫３００が柱体１０の高さ方向あるいは周方向に移動可能とする遊戯装置である。
【００１９】
柱体１０は、上下方向に延在する側板１２０を周方向に有する長尺かつ中空の筒状体である。柱体１０は、動物用遊戯装置１００の主軸をなす。本実施形態における柱体１０の横断面の形状は、挿入口２０の有無を除けば、概略均一である。図示する柱体１０は、中空かつ断面略正方形の四角柱であるが、これに限定されず、柱体１０は、断面が円形、長形、もしくは楕円形の円柱、断面が三角形もしくは五角形以上の多角形の角柱、または断面が不定形の柱体であってもよい。
【００２０】
柱体１０の寸法は、特に限定されず、遊戯装置１００が設置される環境や遊戯の対象となる動物の種類などを勘案して適宜決定することができる。たとえば遊戯装置１００が一般的な住宅の部屋に設置されることが予定される場合には、柱体１０の高さは、たとえば１００ｃｍ以上２００ｃｍ以下とすることができるがこれに限定されない。また角柱である遊戯装置１００の幅寸法は、たとえば２０ｃｍ以上５０ｃｍ以下とすることができるが、これに限定されない。
【００２１】
柱体１０を構成する材料は特に限定されないが、たとえば、木材、集合材、アクリル樹脂などの合成樹脂体、大理石などの石材、陶器などを挙げることができる。これらの材料は、柱体１０の外側面１２４に露出していてもよいが、外側面１２４には、適宜、シート部材が貼り合わされてもよい。例えばカーペット部材、合成樹脂シート、抗菌シートまたは化粧シートなどを柱体１０の外側面１２４に張り合わせてもよい。
【００２２】
柱体１０の外側面１２４には、複数の挿入口２０が設けられている。上述のとおり柱体１０は中空であるため、対向する挿入口２０にステップ部材３０を掛け渡すことができる。挿入口２０は、後述するステップ部材３０の挿入部３４を挿入脱離可能な開口であり、柱体１０の側板１２０に設けられている。上記開口である挿入口２０は、柱体１０の内側と外側とに連通している。
挿入口２０の形状は、ステップ部材３０が挿脱可能な範囲で適宜決定することができる。たとえば本実施形態の複数の挿入口２０は、同形状に形成されている。具体的には、挿入口２０は、板状体からなるステップ部材３０の挿入部３４の厚み寸法と略同等の高さ寸法および、挿入部３４の幅寸法と略同等の幅寸法で構成されている。本実施形態の挿入口２０の開口形状は、挿入部３４の断面形状と比較して僅かに大きく、かつ相似した形状である。そのため、挿入口２０に挿入部３４が挿入されたときに、挿入部３４の挿入口２０に当接する箇所が挿入口２０に対し挿脱可能な程度にぴったりと嵌合し、柱体１０に対し配置されたステップ部材３０のがたつきが生じない。ステップ部材３０の詳細は後述する。
【００２３】
挿入口２０の数および形成位置は特に限定されず、適宜、設計することができるが、本実施形態では、側板１２０を構成する４つの面それぞれにおいて、上下方向に１８個の挿入口２０が設けられている。窓部４０よりも上方に設けられた多数の挿入口２０は、上下方向に等間隔で配置されている。上記４つの面においてそれぞれ対向する同高さの位置に挿入口２０が形成されているため、互いに対向する２つの挿入口２０にステップ部材３０を掛け渡すことによって、ステップ部材３０を水平に配置させることができる。もちろん、上述する挿入口２０は一実施態様であって、形成される位置や形状は特に限定されない。たとえば、異なる高さの２つの挿入口２０にステップ部材３０を掛け渡し可能に構成してもよい。このようにステップ部材３０を傾斜させて配置することによって、猫３００の遊戯性を高めることができる。
【００２４】
本実施形態の遊戯装置１００は、四角柱である柱体１０の４つの面のいずれにおいても複数の挿入口２０が上下方向に分散配置して設けられている。そのため、当該４つの面のいずれからでも、柱体１０に対しステップ部材３０を設置することができ、またステップ部材３０の高さも調整することができる。しかも挿入口２０に対しステップ部材３０は挿脱可能である。そのため、適宜、ステップ部材３０の位置を変更することによって、猫３００が遊戯装置１００に飽きることを防止することができる。また猫３００の成長に合わせて、上下方向に並ぶ挿入口２０の高さの間隔を調整することもできる。
【００２５】
柱体１０は、第一柱部１０Ａおよび第二柱部１０Ｂを有している。第一柱部１０Ａおよび第二柱部１０Ｂは、上下に並び、それぞれ柱体１０の長さ方向の一部を構成する。本実施形態では、第一柱部１０Ａよりも第二柱部１０Ｂが上方に配置されている。図１、２に示すように、動物が遊戯可能な状態の遊戯装置１００において、第一柱部１０Ａおよび第二柱部１０Ｂは上下方向に並んでいる。本実施形態では、第一柱部１０Ａの上に、第二柱部１０Ｂが隣接している態様を示すが、第一柱部１０Ａと第二柱部１０Ｂとの間に任意の構成が付加されてもよい。また、柱体１０は、図示省略する第三柱部を有していてもよい。本実施形態における第一柱部１０Ａおよび第二柱部１０Ｂは、それぞれ中空かつ縦長の筒状体である。本実施形態では、第一柱部１０Ａおよび第二柱部１０Ｂはそれぞれ断面略正方形の四角柱である例を図示しているが、これに限定されず、断面が長方形、真円、長円、楕円、不定形、他の定型形状などであってもよく、また第一柱部１０Ａと第二柱部１０Ｂの断面形状が異なっていてもよい。
【００２６】
本実施形態における第一柱部１０Ａおよび第二柱部１０Ｂそれぞれは、複数の挿入口２０を有している。これによって、上下方向において第一柱部１０Ａから第二柱部１０Ｂに亘り適宜、ステップ部材３０を配置することができる。
【００２７】
たとえば、図１、２に示すように第一柱部１０Ａは窓部４０を有し、かつ第二柱部１０Ｂよりも挿入口２０の数が少ない。これにより、遊戯装置１００において下部より上部において、挿入口２０を多く配置可能であり、また挿入口２０の配置位置のアレンジがし易い。本実施形態における第一柱部１０Ａおよび第二柱部１０Ｂは、高さが略同等である。第一柱部１０Ａおよび第二柱部１０Ｂは、挿入口２０の配置位置や数、窓部４０の有無などを除き、同形状の筒状体である。より具体的には、第一柱部１０Ａおよび第二柱部１０Ｂは、高さおよび断面形状が略同等であって、挿入口２０の数は第一柱部１０Ａより第二柱部１０Ｂが多い。
【００２８】
図３に示すとおり、本実施形態における第一柱部１０Ａおよび第二柱部１０Ｂは、横断面外縁４２の形状が略同一であり、第一柱部１０Ａの上に第二柱部１０Ｂを載置可能である。かかる構成によれば、たとえば、第一柱部１０Ａの天板部５０および／または第二柱部１０Ｂの床板部６０が省略された場合であっても、第一柱部１０Ａの上に第二柱部１０Ｂを載置可能である。また第一柱部１０Ａの上に第二柱部１０Ｂを載置したとき、上下方向において長尺の柱体１０の横断面は略同一となり、外側面１２４に段差が生じないため、遊戯装置１００の外観が良好である。
【００２９】
本実施形態では図２に示すとおり、第一柱部１０Ａは筒状体であるとともに、少なくとも上記筒状体の軸方向の一方の端部に上記軸方向と交差する方向に所定面積を有して延在する天板部５０を有している。また第二柱部１０Ｂは筒状体であるとともに、少なくとも上記筒状体の軸方向の一方の端部に上記軸方向と交差する方向に所定面積を有して延在する床板部６０を有している。本実施形態は、天板部５０に床板部６０を載置して第一柱部１０Ａの上に第二柱部１０Ｂを載置可能である。これにより、第一柱部１０Ａと第二柱部１０Ｂとを上下方向に安定して並べることができる。
【００３０】
本実施形態では、第一柱部１０Ａの天板部５０と第二柱部１０Ｂの床板部６０とは略同等の面積を有している。本実施形態における天板部５０および床板部６０の面積は、第一柱部１０Ａおよび第二柱部１０Ｂの横断面と略同等である。ただし本発明は、天板部５０および床板部６０の面積が当該断面積よりも小さい態様を包含する。
【００３１】
本実施形態における第一柱部１０Ａおよび第二柱部１０Ｂは、いずれも天板部５０および床板部６０が設けられている。図２に示すように、柱体１０の最上位に配置された第二柱部１０Ｂは、天板部５０を有することにより、猫３００が柱体１０の頂点に載ることを可能にし、また猫３００が柱体１０の中空部（内側）に転落することを防止する。
また図２に示すように、柱体１０の最下位に配置された第一柱部１０Ａは、床板部６０を有することにより、設置面（土台１５０の面を含む）に対する柱体１０の設置状態を安定させる。また適宜、土台１５０に対し、固定手段により第一柱部１０Ａは、床板部６０を固定することができる。
【００３２】
図２に示す第一柱部１０Ａの天板部５０および第二柱部１０Ｂの床板部６０は、いずれも軸方向に対し垂直方向に延在している。図示省略する変形例としては、上述する天板部５０および床板部６０は、軸方向に対し垂直方向以外の方向に延在していてもよく、天板部５０および床板部６０が同角度で傾斜していてもよい。
【００３３】
第一柱部１０Ａおよび第二柱部１０Ｂは、上下方向に並び固定手段（連結具１１０）により固定された状態で、長尺の柱体１０（図１参照）を構成する。固定手段により固定された第一柱部１０Ａおよび第二柱部１０Ｂは、柱体１０の長手方向において横ずれが禁止されるとともに、設置状態において互いの相対的な上下位置が特定の高さで維持され、長尺の柱体１０をなす。
第一柱部１０Ａと第二柱部１０Ｂとは、固定手段（連結具１１０）を解除することによって、長尺の柱体１０に対し相対的に短尺化可能である。固定手段を解除するとは、第一柱部１０Ａと第二柱部１０Ｂとの相対的な上下位置を変動可能な状態にすることをいう。また短尺化とは、使用状態の遊戯装置１００における柱体１０の長さよりも、柱体１０が短くなることをいう。
【００３４】
第一柱部１０Ａおよび第二柱部１０Ｂの短尺化の態様は特に限定されず、一例としては、図４に示すように、固定手段を解除することにより第一柱部１０Ａと第二柱部１０Ｂとを物理的に分離させ、使用状態に比べて長手方向の長さが短い複数の構成部に柱体１０を分割する態様が挙げられる。実施形態の遊戯装置１００は、図４に示すように、第一柱部１０Ａおよび第二柱部１０Ｂ、複数の挿入口２０、ならびに任意で設けられた土台１５０がいずれも分離可能である。互いに分離可能な第一柱部１０Ａ、第二柱部１０Ｂ、複数の挿入口２０、および土台１５０は、遊戯装置１００の組み立てセットの各パーツとしてコンパクトに収容可能である。
他の態様としては、たとえば第一柱部１０Ａおよび第二柱部１０Ｂのいずれか一方の内側中空に他方を包含可能な寸法で構成し、固定手段が解除された状態では、当該一方の内部に当該他方を収納可能である構成を挙げることができる。かかる態様の具体例の１つを後述にて第二実施態様として説明する。第二実施態様は、第一柱部１０Ａおよび第二柱部１０Ｂが、所謂入れ子の関係にある。
【００３５】
次に固定手段について説明する。本実施形態における固定手段は、上下方向において並ぶ第一柱部１０Ａと第二柱部１０Ｂとを互いに固定して第一柱部１０Ａに対する第二柱部１０Ｂの横倒しを規制する。固定手段は、第一柱部１０Ａに対する第二柱部１０Ｂの横ずれを防止するとともに、第一柱部１０Ａと第二柱部１０Ｂとの相対的な上下の位置関係を所定高さに維持する。
固定手段は、柱体１０の内側に設けられている。固定手段は柱体１０の内側に設けられるとは、固定手段が柱体１０の外側面１２４に露出しない領域に設けられることを意味する。したがって、たとえば固定手段は、柱体１０の内側面または中空部の任意の位置、または側板１２０の内部などに設けられる。
本実施形態における固定手段は、繰り返し第一柱部１０Ａおよび第二柱部１０Ｂを固定し、また固定状態を解除することができる。つまり柱体１０は、長尺の状態と短尺化された状態とを固定手段の操作により意図的に繰り返し可能である。そのため、一度、第一柱部１０Ａおよび第二柱部１０Ｂを固定して柱体１０を構成し遊戯装置１００を組み立てた後、運搬や収納の際には、適宜、固定手段を解除して柱体１０を短尺化し取扱性の良い状態にすることができる。
【００３６】
本実施形態では、固定手段による第一柱部１０Ａと第二柱部１０Ｂとの固定および当該固定の解除が、繰り返し可能である。そのため、遊戯装置１００を運搬し、使用し、収納するといった状況の変化に合わせ、柱体１０の長尺化および短尺化を、適宜、繰り返し実施でき、取り扱い性に優れる。
【００３７】
固定手段の具体的な態様は、本発明の趣旨を逸脱しない範囲において特に限定されない。本実施形態では、固定手段はたとえば連結具１１０である。連結具１１０は、二つの物品を止めあわせることが可能な用具であって、具体的にはネジまたはフックなどを挙げることができるが、これに限定されない。連結する箇所は一か所に限定されず、複数の箇所で連結し、これによって上記固定を実現してもよい。具体的には図２に示すように、本実施形態に用いる連結具１１０は、第一柱部１０Ａに設けられた天板部５０と第二柱部１０Ｂに設けられた床板部６０とを対向させた状態で、互いを止めあわせるネジである。
ネジにより、上下方向に対向する第一柱部１０Ａに設けられた天板部５０と第二柱部１０Ｂに設けられた床板部６０とを連結する本実施形態によれば、容易に第一柱部１０Ａと第二柱部とを固定することができ、かつ固定された状態が安定である。
【００３８】
図２に示すとおり、第一柱部１０Ａの天板部５０および第二柱部１０Ｂの床板部６０は、互いに連通するネジ穴１３１を有し、また上記天板部５０または床板部６０の少なくともいずれか一方にはネジ穴１３１に連続する位置に固定されたナット１３２を有する。これにより対向した状態の天板部５０または床板部６０のいずれか一方側からネジ頭１３０を操作するだけで、ネジ（連結具１１０）により天板部５０と床板部６０とを連結し、第一柱部１０Ａおよび第二柱部１０Ｂの上下方向の位置関係を固定できる。
【００３９】
このように、本実施形態における固定手段（連結具１１０）は、第一柱部１０Ａにおける天板部５０と第二柱部１０Ｂにおける床板部６０とを、互いに相対的に移動することおよび回転することを禁止するよう連結し、およびその連結を解除するための操作部を有している。本実施形態では、上記操作部はネジ頭１３０である。ナット１３２が予め固定配置されているため、ネジ頭１３０を操作するだけで、第一柱部１０Ａにおける天板部５０と第二柱部１０Ｂにおける床板部６０とを連結し、これによって容易に第一柱部１０Ａおよび第二柱部１０Ｂを上下に並んで固定させることができる。
【００４０】
遊戯装置１００は、図２に示すとおり、柱体１０の外側と内側とを連通させ固定手段（連結具１１０）を操作する者の手腕１６０を挿入可能な窓部４０が側板１２０に設けられている。操作部であるネジ頭１３０は、互いに当接する天板部５０または床板部６０の露出するいずれか一方の面内であって、窓部４０側に対向する面内に設けられている。そのため窓部４０から挿入した手腕１６０により、容易に操作部であるネジ頭１３０を操作することができる。かかる窓部４０と連結具１１０との関係によれば、固定のための操作部を有する固定手段が長尺の柱体１０の内側に設けられた場合でも、容易に、固定（連結）のための操作を実施することができる。窓部４０の詳細は後述する。
【００４１】
尚、上述では操作部がネジ頭１３０であり、ネジ頭１３０に対応するネジ山の形成されたナット１３２が予め第一柱部１０Ａの天板部５０または第二柱部１０Ｂの床板部６０に固定配置された例を示した。しかしこれは一例に過ぎず、異なる態様として、外表面にネジ山が形成されたボルトを、第一柱部１０Ａの天板部５０または第二柱部１０Ｂの床板部６０の一方から他方に向けて起立させて固定配置しておくとともに、天板部５０または第二柱部１０Ｂの当該他方には、当該ボルトに対応する位置にボルト貫通用孔を設けてもよい（図示省略）。この場合には、上記ボルト貫通孔から突き出た上記ボルトに対しネジ止め可能なナットが操作部となる。
【００４２】
本実施形態では、図２に示すように第二柱部１０Ｂの床板部６０の所定の位置にナット１３２が埋め込まれて固定されている。第一柱部１０Ａの上に第二柱部１０Ｂを重ねた状態で、第一柱部１０Ａの天板部５０に設けられたネジ穴１３１とナット１３２とが連続する位置関係にあり、第一柱部１０Ａの天板部５０の側から第二柱部１０Ｂの床板部６０の側に向けてネジ（連結具１１０）を差し込み、ネジ頭１３０を操作することで、ネジ止めを行うことができる。ネジを止める箇所は一か所または複数箇所であってよく、本実施形態では、たとえば、図３（ａ）に示すように、４か所でネジ止めしている。
【００４３】
ネジ以外の図示省略する固定手段の例としては、たとえば以下の態様が挙げられる。たとえば、第一柱部１０Ａおよび第二柱部１０Ｂのいずれか一方の内側面にフックを設け、他方の内側面にフック受け部を設け、第一柱部１０Ａと第二柱部１０Ｂとを上下に並べた状態で、上記フックを、上記フック受け部に架け渡すことで、第一柱部１０Ａと第二柱部１０Ｂを連結して固定することもできる。
また第一柱部１０Ａの上端部と第二柱部１０Ｂの下端部において、互いの位置関係を固定可能な嵌合構造を設けてもよい。嵌合構造は、当該上端部と当該下端部とにそれぞれ凹凸構造を設け、これらを直接に嵌合させる構造であってもよい。またたとえば、当該上端部と当該下端部とにそれぞれ凹部を設け、当該凹部に嵌合する凸部を備える嵌合部材を当該上端部と当該下端部との間に配置し、間接的に互いを嵌合させてもよい。
【００４４】
次に、窓部４０について説明する。
本実施形態の柱体１０の側板１２０には、柱体１０の外側と内側とを連通させ固定手段（連結具１１０）を操作する者の手腕１６０を挿入可能な窓部４０が設けられている。このように窓部４０を設けることによって、柱体１０の内側に設けられた固定手段を柱体１０の外側から容易に操作することができる。そのため、固定するために適宜操作が必要な固定手段を柱体１０の内側に設けた場合にも、窓部４０から柱体１０の内側に手腕１６０を挿入して固定するための操作を容易に行うことができる。
【００４５】
たとえば窓部４０は、第一柱部１０Ａおよび第二柱部１０Ｂの少なくともいずれか一方における側板１２０に設けられる。図１、２には第一柱部１０Ａにのみ窓部４０が設けられた態様を示している。本実施形態における窓部４０は、挿入口２０よりも開口面積が大きく、少なくとも成人の腕部が挿入可能なサイズの開口である。たとえば窓部の高さ寸法および幅寸法は、それぞれ１０ｃｍ以上３０ｃｍ以下とすることができるが、これに限定されない。第一柱部１０Ａに設けられた窓部４０は、第一柱部１０Ａの高さ方向の中間部に設けられている。
【００４６】
たとえば窓部４０の固定手段（連結具１１０）寄りである上端縁１２６または下端縁１２７から固定手段（連結具１１０）までの距離が５０ｃｍ以内であることが好ましい。これにより窓部４０に挿入させた手腕１６０を容易に固定手段（連結具１１０）に到達させることができ、当該手腕１６０で容易に固定手段の操作を可能とする。
ここで固定手段寄りの上端縁１２６または下端縁１２７とは、窓部４０の上端縁１２６および下端縁１２７であって連結具１１０までの距離が近い方を意味する。
本実施形態では、第一柱部１０Ａに設けられた窓部４０の上方に固定手段（連結具１１０）が設けられているため、上端縁１２６から当該固定手段（連結具１１０）までの距離が５０ｃｍ以内であることが好ましく、４０ｃｍ以内であることがより好ましく、３０ｃｍ以内であることがさらに好ましい。
【００４７】
図２に示すとおり、本実施形態では固定手段（連結具１１０）の操作部（ネジ頭１３０）が、窓部４０に対向している。そのため、窓部４０から挿入した手腕１６０により容易に操作部（ネジ頭１３０）を操作することができる。
【００４８】
遊戯装置１００は、設置面に対する設置状態を安定化させるために、柱体１０の横断面よりも大面積である土台１５０を第一柱部１０Ａの下端に設けている。土台１５０は、略平滑な板状体である。土台１５０の上に第一柱部１０Ａを載置し、第一柱部１０Ａに設けられた床板部６０と土台１５０とを固定している。固定の方法は特に限定されないが、図２では、第一柱部１０Ａの天板部５０と第二柱部１０Ｂの床板部６０との連結方法と同様に連結具１１０Ａであるネジ（以下、土台用ネジという）を用いている。図２および図３（ｂ）に示すとおり、土台用ネジのネジ頭１３０Ａは、窓部４０に対向している。そのため、窓部４０から挿入した手腕１６０により容易に土台用ネジをネジ止めできる。第一柱部１０Ａの床板部６０と土台１５０とには連通するネジ穴１３１Ａが設けられるとともに、土台１５０にはナット１３２Ａが埋設されており、第一柱部１０Ａから土台１５０に向けてネジを差し込みネジ頭１３０Ａを操作するだけでネジ止めできる。窓部４０の下端縁１２７から土台用ネジ（ネジ頭１３０Ａ）までの距離は、５０ｃｍ以内であることが好ましく、４０ｃｍ以内であることがより好ましく、３０ｃｍ以内であることがさらに好ましい。
【００４９】
本実施形態では、図１に示すように、窓部４０のすぐ下に挿入口２０が設けられている。窓部４０のすぐ下に設けられた挿入口２０に対しステップ部材３０を設置した場合には、挿入部３４が床面の役割を果たすため、窓部４０から柱体１０の内側に猫３００が入り込むことができ、遊戯装置１００における猫３００の行動範囲を広げることができる。たとえば窓部４０の下端縁１２７から当該窓部の直下に設けられた挿入口２０の上端縁１２８までの距離は３ｃｍ以上１５ｃｍ以下であって、猫３００が跨げる程度にするとよい。
【００５０】
次にステップ部材３０の詳細について説明する。
ステップ部材３０は、一の挿入口２０と他の挿入口２０とに架け渡された状態で、柱体１０の外側に露出し動物を乗せることが可能なステップ部３２を有している。
また上述する架け渡された状態において、柱体１０の内側に位置する挿入部３４を有している。本実施形態では、全体が板状のステップ部材３０を例示するが、これは一例であって、本発明におけるステップ部材３０の形状を限定するものではない。たとえば、ステップ部３２を板状に構成するとともに、挿入部３４を角形の棒状体などに構成することもできる。当該棒状体の挿入部３４の長軸方向に対し垂直に切断した切断面と略同等の形状の挿入口２０を柱体１０に設け、その挿入口２０の２か所に対し、棒状体の挿入部３４を架け渡してもよい。板状のステップ部材３０を、高さ位置が同じ２つの挿入口２０に架け渡している。柱体１０に対するステップ部材３０の挿入角度は、柱体１０の軸方向に対して略９０度であって、板状のステップ部材３０の主面の法線方向は遊戯装置１００の設置面の法線方向と平行である。
【００５１】
ステップ部材３０は、表面を被覆材で被覆されることが好ましい。板状体である本実施形態のステップ部材３０の少なくとも一方側の面、好ましくは両面は被覆材で被覆されている。被覆材は、例えば、カーペット用シート、コルクシート、ゴムシート、合成樹脂製の化粧シートなどが挙げられる。
【００５２】
板状のステップ部材３０の形状は、特に限定されない。たとえば、図５（ａ）に示すように、ステップ部材３０は、上面視Ｌ字状であって、一方の辺がステップ部３２であり他方の辺が挿入部３４である。Ｌ字状のステップ部材３０の一方の辺と他方の辺の幅寸法を同等とすることにより、いずれの辺を挿入部３４として使用することもでき、挿入口２０に対する挿入方向に規制がないので使用が容易である。Ｌ字状のステップ部材３０は、ステップ部３２が四角柱である柱体１０の外側面１２４の一つの面に沿って延在する。
【００５３】
また、別の態様として、ステップ部３２が、柱体１０の外側面１２４に沿って外周方向の３分の１以上に亘り延在していてもよい。このように柱体１０の外周方向に沿って長くステップ部３２を延在させることによって、１つのステップ部３２における猫３００の居住性および運動性を高くすることができる。具体的な一例としては、図５（ｂ）に示すように、ステップ部材３０を上面視コの字状に形成してもよい。かかる態様のステップ部材３０は、柱体１０に対し設置した場合、柱体１０から露出するステップ部３２がＬ字状となり、四角柱の柱体１０の隣り合う２面に沿ってステップ部３２を延在させることができる（図１に示す最下位に設置されたステップ部材３０参照）。図５（ｂ）に示すステップ部材３０は、柱体１０に対し設置したとき、外側面１２４に沿って外周方向の略２分の１を亘りステップ部３２を延在させることができる。挿入部３４の幅寸法Ｗ３は、挿入口２０の幅寸法Ｗ１（図１参照）と略同等である。
【００５４】
即ち、図１に示すとおり、本実施形態の遊戯装置１００は、柱体１０が角柱体であり、ステップ部３２が上記角柱体の外側面１２４の隣り合う２面（外側面１２４Ａ、１２４Ｂ）以上に沿って延在しているステップ部材３０を有している。
【００５５】
上述するコの字状のステップ部材３０は、たとえば四辺形の板に幅寸法Ｗ４のスリット９０を設けることにより形成することができる。スリット９０を介してステップ部３２と挿入部３４とが並行する。本実施形態では、スリット９０の幅寸法Ｗ４が、四角柱の柱体１０の一の面に設けられた挿入口２０の幅方向の一方の端部から、当該一の面と隣り合う当該一の端部に最も近い他の面までの距離Ｌ２（図１参照）と略同等である。また挿入部３４の幅寸法Ｗ３は、挿入口２０の幅寸法Ｗ１（図１参照）と略同等である。かかるコの字状のステップ部材３０を対向する２つの挿入口２０に対して架け渡した場合には、図１の最下位に設置されたステップ部材３０に示されるように、あたかも一連の床部が柱体１０に対して設けられたようになる。
【００５６】
また図５（ｃ）に示すとおり、ステップ部材３０を上面視Ｅ字状に形成してもよい。Ｅ字状のステップ部材３０は、挿入部３４を介して対向する２本のスリット９０が設けられ、スリット９０の外側にそれぞれステップ部３２が設けられている。ステップ部３２は、コの字状に連続している。Ｅ字状のステップ部材３０における幅寸法Ｗ３および幅寸法Ｗ４は、上述するコの字状のステップ部材３０と同様である。Ｅ字状のステップ部材３０を四角柱の柱体１０に対し設置した場合には、ステップ部３２を四角柱の柱体１０の外側面１２４の３つの面に亘り延在させることができる（図示省略）。
【００５７】
以上に例示するステップ部材３０はいずれもコーナーが略９０度の形状であるが、本発明におけるステップ部材３０はこれに限定されず、周縁に丸みをもたせるなどのデザイン変更を適宜行うことができる。
【００５８】
さらに図１および図６に示すように、ステップ部材３０は、ステップ部３２から起立する壁部１４０を有していてもよい。壁部１４０を設けることで、ステップ部材３０を３次元的に構成することができ、猫３００の遊戯性を向上させ得る。
本実施形態では、壁部１４０は、板状体であるステップ部３２の縁部から当該板状体の主面の法線方向に起立する方向に延在している。
【００５９】
たとえば本実施形態では、壁部１４０は、ステップ部材３０が一の挿入口２０と他の挿入口２０とに架け渡された状態で、柱体１０の外側面１２４と対向する第一壁部１４０Ａと、当該外側面１２４と第一壁部１４０Ａとの間に延在する第二壁部１４０Ｂとを有する（図１、図６参照）。このように、柱体１０の外側面１２４と、第一壁部１４０Ａと第二壁部１４０Ｂとで、上面開口であって略コの字状の壁部を有する空間を形成することができ、閉空間を好む猫３００の居住性を向上させることができる。
【００６０】
以上のようにステップ部材３０は種々の態様を取り得る。遊戯装置１００は、複数のステップ部材３０を有するところ、複数のステップ部材３０はいずれも同形状であってもよいし、２以上の異なる形状のステップ部材３０を備えていてもよい。形状の異なる複数のステップ部材３０は、挿入部３４が共通であることが好ましい。柱体１０に設けられた同形状の複数の挿入口２０のいずれに対しても、ステップ部材３０を架け渡すことが可能だからである。
【００６１】
［第二実施形態］
次に本発明の第二実施態様である動物用遊戯装置２００について図７を用いて説明する。図７は、本発明の第二実施態様の動物用遊戯装置２００（以下、単に遊戯装置２００ともいう）の斜視図である。遊戯装置２００は、以下に説明する点において遊戯装置１００と構成が相違し、その他の構成は、遊戯装置１００と同様の構成であるため、説明を適宜割愛する。尚、図７では、ステップ部材３０の図示を省略している。
【００６２】
第二実施形態の２００は、第一柱部１０Ａの横断面内縁４４の形状が、第二柱部１０Ｂの横断面外縁４２の形状を包含可能である。これにより、固定手段（ストッパ２１０）を解除することで、第一柱部１０Ａの内部に第二柱部１０Ｂを収納することが可能であり、運搬または収納の際に、取扱性が良好である。
【００６３】
たとえば、横断面内縁４４の形状と、横断面外縁４２の形状とは相似形であって、横断面内縁４４が横断面外縁４２よりも大きく構成されている。そのため、第一柱部１０Ａと第二柱部１０Ｂは、所謂入れ子の関係にある。
本実施形態における固定手段は、図７に示すように第一柱部１０Ａに対し第二柱部１０Ｂを所定の高さで停止させるストッパ２１０である。第一柱部１０Ａの上端開口２３０に、第二柱部１０Ｂの下端２２０を挿入させ、第一柱部１０Ａの上端部の内側面２４０に設けられたストッパ２１０で第二柱部１０Ｂの下端を支持し、これにより、第一柱部１０Ａと第二柱部１０Ｂとの高さ位置を固定している。ストッパ２１０は、たとえば、中空の多角柱である第一柱部１０Ａの上端部の内側面２４０の複数の面に設けられる。図示する遊戯装置２００は、具体的には中空の四角柱の第一柱部１０Ａの４つの内側面２４０の全てにストッパ２１０を有している。
【００６４】
ストッパ２１０は、第二柱部１０Ｂの下端２２０を支持する受け部２１４を有している。受け部２１４は、第一柱部１０Ａの上端部の内側面２４０に設けられた凹部２１２に一方の端部が嵌合しており、凹部２１２から第一柱部１０Ａの軸心方向に延在する領域で第二柱部１０Ｂの下端２２０を支持可能である。ストッパ２１０は、受け部２１４の凹部２１２に嵌合する端部とは反対側の他端から内側面２４０まで傾斜する支持部２１６が設けられており、受け部２１４にかかる下方向の荷重を支えている。ストッパ２１０は、本実施形態における固定手段の一例であって、第一柱部１０Ａの上端開口２３０に下端２２０が内包される第二柱部１０Ｂの高さ位置を、第一柱部１０Ａに対し固定可能な手段を広く包含する。
【００６５】
第二柱部１０Ｂには上部端部を閉鎖する天板部５０を有している。天板部５０には、成人の指が挿入可能な程度の開口である取出用開口２５０が設けられている。遊戯装置２００の固定手段（ストッパ２１０）が解除され第一柱部１０Ａの内部に内包された第二柱部１０Ｂを取り出す際には、取出用開口２５０に指を挿入して天板部５０の裏面に指をかけて第二柱部１０Ｂを第一柱部１０Ａから引き出すことができる。
【００６６】
以上に本発明の実施形態について説明した。本発明は上述の実施形態に限定されるものではなく、本発明の目的が達成される限りにおける種々の変形、改良等の態様を含む。たとえば、上述する実施形態では窓部４０は、設置面側に配置される第一柱部１０Ａに設けられた例を示したが、窓部４０は第二柱部１０Ｂに設けられてもよい。
【００６７】
上記実施形態は、以下の技術思想を包含するものである。
（１）長手方向に延在する側板および前記側板に設けられた複数の挿入口を有する中空の柱体と、
一の前記挿入口と他の前記挿入口とに架け渡され前記柱体に対し挿脱可能に配置される複数のステップ部材と、を備え、
前記柱体は、前記長手方向において並ぶ第一柱部と第二柱部とを有するとともに、前記第一柱部と前記第二柱部とを互いに固定して前記第一柱部に対する前記第二柱部の横倒しを規制する固定手段を当該柱体の内側に有しており、
前記固定手段により固定された前記第一柱部と前記第二柱部とにより長尺の前記柱体をなし、前記固定手段を解除することによって、前記長尺の柱体に対し相対的に短尺化可能であることを特徴とする動物用遊戯装置。
（２）前記柱体の外側と内側とを連通させ前記固定手段を操作する者の手腕を挿入可能な窓部が前記側板に設けられている上記（１）に記載の動物用遊戯装置。
（３）前記窓部の前記固定手段寄りである上端縁または下端縁から前記固定手段までの距離が５０ｃｍ以内である上記（２）に記載の動物用遊戯装置。
（４）前記固定手段による前記第一柱部と前記第二柱部との固定および当該固定の解除が、繰り返し可能である上記（１）から（３）のいずれか一項に記載の動物用遊戯装置。
（５）前記第一柱部および前記第二柱部のそれぞれに複数の前記挿入口が設けられている上記（１）から（４）のいずれか一項に記載の動物用遊戯装置。
（６）前記第一柱部および前記第二柱部は、横断面外縁形状が略同一であり、
前記第一柱部の上に前記第二柱部を載置可能である上記（１）から（５）のいずれか一項に記載の動物用遊戯装置。
（７）前記第一柱部は筒状体であるとともに、少なくとも前記筒状体の軸方向の一方の端部に前記軸方向と交差する方向に所定面積を有して延在する天板部を有し、
前記第二柱部は筒状体であるとともに、少なくとも前記筒状体の軸方向の一方の端部に前記軸方向と交差する方向に所定面積を有して延在する床板部を有し、
前記天板部に前記床板部を載置して前記第一柱部の上に前記第二柱部を載置可能である上記（１）から（６）のいずれか一項に記載の動物用遊戯装置。
（８）前記固定手段は、前記天板部と前記床板部とを、互いに相対的に移動することおよび回転することを禁止するよう連結し、およびその連結を解除するための操作部を有する上記（７）に記載の動物用遊戯装置。
（９）前記柱体の外側と内側とを連通させ前記固定手段を操作する者の手腕を挿入可能な窓部が前記側板に設けられており、
前記操作部が、互いに当接する前記天板部または前記床板部の露出するいずれか一方の面内であって、前記窓部側に対向する前記面内に設けられている上記（８）に記載の動物用遊戯装置。
（１０）前記第一柱部の横断面内縁形状が、前記第二柱部の横断面外縁形状を包含可能である上記（１）から（５）のいずれか一項に記載の動物用遊戯装置。
（１１）前記ステップ部材は、前記一の挿入口と前記他の挿入口とに架け渡された状態で、前記柱体の外側に露出し動物を乗せることが可能なステップ部を有している上記（１）から（１０）のいずれか一項に記載の動物用遊戯装置。
（１２）前記ステップ部が、前記柱体の外側面に沿って外周方向の３分の１以上に亘り延在している上記（１）から（１１）のいずれか一項に記載の動物用遊戯装置。
（１３）前記柱体が角柱体であり、前記ステップ部が前記角柱体の外側面の隣り合う２面以上に沿って延在している上記（１）から（１２）のいずれか一項に記載の動物用遊戯装置。
（１４）前記ステップ部材は、前記ステップ部から上方向に起立する壁部を有している上記（１）から（１３）のいずれか一項に記載の動物用遊戯装置。
（１５）前記壁部は、前記ステップ部材が前記一の挿入口と前記他の挿入口とに架け渡された状態で、
前記柱体の外側面と対向する第一壁部と、当該外側面と前記第一壁部との間に延在する第二壁部とを有する上記（１４）に記載の動物用遊戯装置。
【符号の説明】
【００６８】
１０・・・柱体
１０Ａ・・・第一柱部
１０Ｂ・・・第二柱部
２０・・・挿入口
３０・・・ステップ部材
３２・・・ステップ部
３４・・・挿入部
４０・・・窓部
４２・・・横断面外縁
４４・・・横断面内縁
５０・・・天板部
６０・・・床板部
９０・・・スリット
１００・・・動物用遊戯装置
１１０、１１０Ａ・・・連結具
１２０・・・側板
１２４、１２４Ａ、１２４Ｂ・・・外側面
１２６、１２８・・・上端縁
１２７・・・下端縁
１３０、１３０Ａ・・・ネジ頭
１３１、１３１Ａ・・・ネジ穴
１３２、１３２Ａ・・・ナット
１４０・・・壁部
１４０Ａ・・・第一壁部
１４０Ｂ・・・第二壁部
１５０・・・土台
１６０・・・手腕
２００・・・動物用遊戯装置
２１０・・・ストッパ
２１２・・・凹部
２１４・・・受け部
２１６・・・支持部
２２０・・・下端
２３０・・・上端開口
２４０・・・内側面
２５０・・・取出用開口
３００・・・猫
Ｗ１、Ｗ３、Ｗ４・・・幅寸法
Ｌ２・・・距離
【図１】
0006458328.tif 000002
【図２】
0006458328.tif 000003
【図３】
0006458328.tif 000004
【図４】
0006458328.tif 000005
【図５】
0006458328.tif 000006
【図６】
0006458328.tif 000007
【図７】
0006458328.tif 000008